(57)【要約】【課題】  制御電力生成部１−３の制御可能時間を長くすること。【解決手段】  整流ダイオードブリッジ１−７は、商用交流電力５０に接続され、平滑コンデンサ１−１２は、整流ダイオードブリッジ１−７の出力端に接続され、駆動電力生成部１−２は、平滑コンデンサ１−１２出力から駆動電力Ｐ１を生成し、制御電力生成部１−３は、制御電力Ｐ２を生成し、ＡＣゼロクロス検知部１−１は、商用交流電力５０の出力を監視し、エンジン制御部２は、制御電力生成部１−３の出力を用いて駆動電力生成部１−２の出力を制御するとともに、ＡＣゼロクロス検知部１−１が商用交流電力５０の停止を検知すると駆動電力生成部１−２の出力を遮断する。【選択図】        図３
2007236166.tif 000002
【特許請求の範囲】
【請求項１】
交流電源に接続される整流回路と、
前記整流回路の出力端に接続される平滑コンデンサと、
前記平滑コンデンサの出力から第１の電力を生成する第１電力生成回路と、
前記平滑コンデンサの出力から第２の電力を生成する第２電力生成回路と、
前記交流電源の出力を監視する交流電源検知回路と、
前記第２電力生成回路の出力を用いて前記第１電力生成回路を制御する電源制御部とを備え、
前記電源制御部は、前記交流電源検知回路が前記交流電源の停止を検知すると前記第１電力生成回路の出力を遮断することを特徴とする電源制御装置。
【請求項２】
前記第１電力生成回路は、所定の駆動電力を出力し、
前記第２電力生成回路は、所定の制御電力を出力することを特徴とする請求項１に記載の電源制御装置。
【請求項３】
前記第２電力生成回路の出力を用いてセンサを駆動するセンサ電力駆動部を更に備え、
前記電源制御部は、前記交流電源検知回路が前記交流電源の停止を検知すると前記センサ電力駆動部への前記第２電力生成回路の出力を更に遮断することを特徴とする請求項１に記載の電源制御装置。
【請求項４】
請求項１から請求項３までの何れか一項に記載の電源制御装置を用いたことを特徴とする画像形成装置。
【発明の詳細な説明】
【技術分野】
【０００１】
本発明は、複写機や電子写真プリンタなどに用いられる電源制御装置、及び、該電源制御装置を備える画像形成装置に関する。
【背景技術】
【０００２】
複写機や電子写真プリンタ等の画像形成装置では、その制御にＣＰＵ（マイクロプロセッサ）を用いている。かかる画像形成装置では、ＣＰＵの動作中に突然予告なしに電源が遮断されると、大きな動作障害を発生する。かかる動作障害を回避するために、停電などによる商用交流電力の非常停止に対処する構成を備えている。通常、主電源回路の平滑コンデンサを大容量にし、該平滑コンデンサに充電されている電荷を用いて、ハードディスクの保護処理等を可能にする処理時間を長くしている。しかし、平滑コンデンサの大容量化には限界がある。即ち、平滑コンデンサのコストとサイズの増加を伴うからである。かかる問題を解決するために、主回路電源用の平滑コンデンサと、制御回路電源用の平滑コンデンサとをそれぞれ別個に備え、両者への充電制御を的確に行なうことによって上記時間延長を図る従来技術も開示されている（特許文献１参照）。
【特許文献１】特開平１０−３３７０２７号公報
【発明の開示】
【発明が解決しようとする課題】
【０００３】
しかしながら、上記従来の技術では、平滑コンデンサを２個必要とし、且つ、両者への充電制御を行うための専用の制御回路を必要としているため、電源制御装置のコストアップと、サイズの増大を伴うことになっていた。更に、主回路電源用の平滑コンデンサに充電されている電荷の利用が、ハードディスクの保護処理等を行う目的のためには、必ずしも有効に利用されてはいないという解決すべき課題が残されていた。
【課題を解決するための手段】
【０００４】
本発明は、交流電源に接続される整流回路と、上記整流回路の出力端に接続される平滑コンデンサと、上記平滑コンデンサの出力から第１の電力を生成する第１電力生成回路と、上記平滑コンデンサの出力から第２の電力を生成する第２電力生成回路と、上記交流電源の出力を検知する交流電源検知回路と、上記第２電力生成回路の出力を用いて上記第１電力生成回路を制御する電源制御部とを備え、上記電源制御部は、上記交流電源検知回路が上記交流電源の停止を検知すると上記第１電力生成回路の出力を遮断することを主要な特徴とする。
【発明の効果】
【０００５】
本発明による電源制御装置では、１個の平滑コンデンサを第１電力生成回路と第２電力生成回路とで共用し、交流電源の遮断時に、モータ等に駆動電力を供給する第１電力生成回路の出力系統を遮断することによって、平滑コンデンサに充電されている電荷を、制御電力を供給する第２電力生成回路に優先的使用させることが可能になる。即ち、第２電力生成回路の制御可能時間を長くすることが可能になる。その結果ハードディスクの保護処理時間を延長できるという効果を得る。
【実施例１】
【０００６】
図１は、本発明による電子写真プリンタの構造を説明する側方断面図である。
本発明による電子写真プリンタは図に示す機構部分を備えている。図に示す、カセット２０は、電子写真プリンタ１００で印刷を行うための用紙２１を堆積して収納する容器である。給紙ローラ１５ｂは、カセット２０に堆積されている用紙２１を一枚一枚分離してガイド２２ａへ繰り出すローラである。ガイド２２ａ、ガイド２２ｂは、共に用紙２１の搬送方向をガイドする用紙通路である。搬送ローラ１４ｂは、ガイド２２ａによりガイドされた用紙２１をＩＤユニット（１８Ｃ、１８Ｍ、１８Ｙ、１８Ｋ）、転写ローラ（１２Ｃｂ、１２Ｍｂ、１２Ｙｂ、１２Ｋｂ）、及び、図示せぬＬＥＤヘッドからなる画像形成部（１０２Ｃ、１０２Ｍ、１０２Ｙ、１０２Ｋ）へ搬送するローラである。
【０００７】
搬送ベルトユニット１７は、ベルトローラ１３ｂと無端状ベルト、及び、内包された上記転写ローラ（１２Ｃｂ、１２Ｍｂ、１２Ｙｂ、１２Ｋｂ）からなり、搬送ローラ１４ｂにより搬送された用紙２１を定着器９まで搬送するユニットである。ＩＤユニット（１８Ｃ、１８Ｍ、１８Ｙ、１８Ｋ）は、感光ドラム（１９Ｃｂ、１９Ｍｂ、１９Ｙｂ、１９Ｋｂ）、及び、図示しない帯電器、現像器等を含み、感光ドラム（１９Ｃｂ、１９Ｍｂ、１９Ｙｂ、１９Ｋｂ）にトナー像を形成するユニットである。この感光ドラム（１９Ｃｂ、１９Ｍｂ、１９Ｙｂ、１９Ｋｂ）と、搬送ベルトユニット１７とで搬送されてくる用紙２１を挟持し、用紙２１上にトナー像を転写する。
【０００８】
本発明の形態では、４個のＩＤユニット（１８Ｃ、１８Ｍ、１８Ｙ、１８Ｋ）を備え、各々異なる色（例えば、シアン、マゼンタ、イエロー、ブラック）のトナー像を用紙２１上に順次重ね、カラー画像を形成するものとする。定着器９は、用紙２１上に転写されたトナー像を、熱、及び圧力により用紙２１に定着させる機器である。排出ローラ１６ｂは、定着器９を通過し、ガイド２２ｂによってガイドされてくる用紙２１を装置外へ排出するローラである。以上説明した機構部分を制御する制御系統について以下に詳細に説明する。
【０００９】
図２は、実施例１の電子写真プリンタの制御系統構成図である。
図に示すように実施例１の電子写真プリンタの制御系統は、電源回路１と、エンジン制御部２と、コントローラ制御部３と、Ｉ／Ｆ部４と、ハードディスク５と、高圧電源６と、中継基板７と、センサ８と、定着器９と、ＬＥＤヘッド（１０Ｃ、１０Ｍ、１０Ｙ、１０Ｋ）と、転写モータ１２ａと、ベルトモータ１３ａと、搬送モータ１４ａと、給紙モータ１５ａと、排出モータ１６ａと、搬送ベルトユニット１７と、ＩＤユニット（１８Ｃ、１８Ｍ、１８Ｙ、１８Ｋ）と、ＩＤモータ（１９Ｃａ、１９Ｍａ、１９Ｙａ、１９Ｋａ）とを備える。ここで、搬送ベルトユニット１７と、ＩＤユニット（１８Ｃ、１８Ｍ、１８Ｙ、１８Ｋ）は、電子写真プリンタ１００の本体に対して着脱可能に設置されている。また、搬送ベルトユニット１７のベルトローラ１３ｂを駆動するためのベルトモータ１３ａ、転写ローラ（１２Ｃｂ、１２Ｍｂ、１２Ｙｂ、１２Ｋｂ）を駆動するための転写モータ１２ａ、及び各ＩＤユニット（１８Ｃ、１８Ｍ、１８Ｙ、１８Ｋ）の感光ドラム等を駆動するためのＩＤモータ（１９Ｃａ、１９Ｍａ、１９Ｙａ、１９Ｋａ）は、電子写真プリンタ１００の本体側に配設されており、搬送ベルトユニット１７あるいは各ＩＤユニットが電子写真プリンタ１００の本体に装着されるとギアなどの動力伝達部材と係合して各々対応するローラや感光ドラムに回転動力を伝えるよう配置されている。
【００１０】
電源回路１は、その内部にＡＣゼロクロス検知部１−１と、駆動電力生成部１−２と、制御電力生成部１−３とを備え、外部から商用交流電力５０を受入れて、整流し、電子写真プリンタ１００（図１）全体の駆動電力と、所定の制御電力とを出力する部分である。ここで、商用交流電力５０の周波数は５０Ｈｚとする。更に、商用交流電力５０の供給状態を監視し、その供給が停止されたことを検知するとＡＣゼロクロス検出信号Ｓ１をエンジン制御部２へ送出するのを停止させ、エンジン制御部２から駆動電力停止信号Ｓ２を受入れると、電子写真プリンタ１００（図１）全体の駆動電力の供給を停止する部分である。ここでＡＣゼロクロス検知部１−１は、商用交流電力５０を監視し、その停止を検知するとＡＣゼロクロス検出信号Ｓ１をエンジン制御部２へ送出するのを停止する部分であり、駆動電力生成部１−２は、電子写真プリンタ１００（図１）全体の駆動電力を生成する部分であり、制御電力生成部１−３は、エンジン制御部２の図示しないＣＰＵ（マイクロプロセッサ）、Ｉ／Ｆ部４、コントローラ制御部３、ハードディスク５の制御電力を生成する部分である。電源回路１全体の回路構成については、後に再度機能ブロック図を用いて詳細に説明する。ここで駆動電力とは、例えば各種モータ等を駆動する電力のように、比較的電流量の大きい電力を指し、制御電力とは、制御回路の回路電源等のように、比較的電流量は小さいが、正確な電圧値が求められる電力を指すものとする（以下同様）。
【００１１】
エンジン制御部２は、その内部に図示しないＣＰＵとＲＯＭ（リードオンリメモリ）とを有し、予めＲＯＭに格納されている制御プログラムをＣＰＵが実行することによって交流電力停止検知部２−１、及び駆動電力停止部２−２を含めて、装置全体を制御する部分である。交流電力停止検知部２−１は、ＡＣゼロクロス検知部１−１から受入れているＡＣゼロクロス検出信号Ｓ１が所定時間以上停止すると商用交流電力５０が停止したと判断する部分である。駆動電力停止部２−２は、交流電力停止検知部２−１が、商用交流電力５０が停止したと判断すると、駆動電力停止信号Ｓ２を駆動電力生成部１−２へ送出して駆動電力生成部１−２による駆動電力の出力を遮断させる部分である。尚、エンジン制御部２は、駆動電力生成部１−２が生成する駆動電力を、後に説明する各構成部分へ供給する部分でもある。但し、自己を制御するＣＰＵの制御電力は、制御電力生成部１−３から制御電力として受け入れる。
【００１２】
コントローラ制御部３は、エンジン制御部２の制御に基づいて、ホストコンピュータ２０００からＩ／Ｆ部４を介して受け入れる画像情報を画像データに変換してハードディスク５へ順次格納する部分である。又、ハードディスク５に格納されている画像データを読み出してエンジン制御部２へ送出する部分でもある。尚、コントローラ制御部３の制御電力は、制御電力生成部１−３からエンジン制御部２を介して供給される。
【００１３】
Ｉ／Ｆ部４は、ホストコンピュータ２０００と電子写真プリンタ１００（図１）とを通信接続するインタフェース回路である。但し、ホストコンピュータ２０００と電子写真プリンタ１００（図１）との間に図示しないネットワークが介在する場合には、図示しないネットワークと電子写真プリンタ１００（図１）とを通信接続するインタフェース回路である。尚、Ｉ／Ｆ部４の制御電力は、制御電力生成部１−３からエンジン制御部２を介して供給される。
【００１４】
ハードディスク５は、コントローラ制御部３の制御に基づいて、画像データ、及び制御データを記憶する不揮発性メモリである。尚、ハードディスク５の制御電力は、制御電力生成部１−３からエンジン制御部２を介して供給される。
【００１５】
高圧電源６は、駆動電力生成部１−２からエンジン制御部２を介して、駆動電力を受け入れて昇圧し、搬送ベルトユニット１７に対して、用紙２１（図１）を静電気力によって吸引させるための高電界を供給し、更に、転写ローラ（１２Ｃｂ、１２Ｍｂ、１２Ｙｂ、１２Ｋｂ）へ、トナー画像転写用の高電界を供給する部分である。
【００１６】
中継基板７は、エンジン制御部２の制御に基づいて、ＬＥＤヘッド（１０Ｃ、１０Ｍ、１０Ｙ、１０Ｋ）へ照射電力を供給する回路基板である。この照射電力は制御電力生成部１−３からエンジン制御部２を介して供給される。
【００１７】
センサ８は、電子写真プリンタ１００（図１）の内部に配置されている、各種センサ（例えば、用紙２１の検出センサ、定着器９の温度センサ、トナー量検出センサ等）である。エンジン制御部２が、このセンサ８から検出信号Ｓ４を受入れて各種の動作を駆動・制御することになる。この制御電力は、制御電力生成部１−３からエンジン制御部２を介して供給される。
【００１８】
定着器９は、既に、図１で説明したように、用紙２１（図１）上に転写されたトナー像を、熱、及び圧力により用紙２１に定着させる機器である。尚この部分は、エンジン制御部２の制御に基づいて、電源回路１から直接、商用交流電力５０の一部を駆動電力として受入れる。
【００１９】
ＬＥＤヘッド（１０Ｃ、１０Ｍ、１０Ｙ、１０Ｋ）は、感光ドラム（１９Ｃｂ、１９Ｍｂ、１９Ｙｂ、１９Ｋｂ）の表面にエンジン制御部２の制御に基づいて露光し、静電潜像を生成する発光素子アレイである。この照射電力は駆動電力生成部１−２から、エンジン制御部２を介して供給される。
【００２０】
除電ランプ（１１Ｃ、１１Ｍ、１１Ｙ、１１Ｋ）は、感光ドラム（１９Ｃｂ、１９Ｍｂ、１９Ｙｂ、１９Ｋｂ）の表面に形成された電荷を除去するランプである。この照射電力は駆動電力生成部１−２から、エンジン制御部２を介して供給される。
【００２１】
転写モータ１２ａは、転写ローラ（１２Ｃｂ、１２Ｍｂ、１２Ｙｂ、１２Ｋｂ）（図１）を回転駆動させるモータである。この駆動電力は駆動電力生成部１−２から、エンジン制御部２を介して供給される。
【００２２】
ベルトモータ１３ａは、ベルトローラ１３ｂ（図１）を回転駆動させるモータである。この駆動電力は駆動電力生成部１−２から、エンジン制御部２を介して供給される。
【００２３】
搬送モータ１４ａは、搬送ローラ１４ｂ（図１）を回転駆動させるモータである。この駆動電力は駆動電力生成部１−２から、エンジン制御部２を介して供給される。
【００２４】
給紙モータ１５ａは、給紙ローラ１５ｂ（図１）を回転駆動させるモータである。この駆動電力は駆動電力生成部１−２から、エンジン制御部２を介して供給される。
【００２５】
排出モータ１６ａは、排出ローラ１６ｂ（図１）を回転駆動させるモータである。この駆動電力は駆動電力生成部１−２から、エンジン制御部２を介して供給される。
【００２６】
搬送ベルトユニット１７は、上記のように、ベルトローラ１３ｂと無端状ベルト、及び、内包された上記転写ローラ（１２Ｃｂ、１２Ｍｂ、１２Ｙｂ、１２Ｋｂ）からなり、搬送ローラ１４ｂにより搬送された用紙２１を定着器９まで搬送するユニットである。ここで、無端状ベルトには、用紙２１（図１）を静電気力によって吸引させるための高電界が印加される。この高電界は、駆動電力生成部１−２が生成する駆動電力をエンジン制御部２を介して受け入れる高圧電源６によって生成される。
【００２７】
ＩＤユニット（１８Ｃ、１８Ｍ、１８Ｙ、１８Ｋ）は、表面を一様に帯電させた感光ドラム（１９Ｃｂ、１９Ｍｂ、１９Ｙｂ、１９Ｋｂ）（図１）に、ＬＥＤヘッド（１０Ｃ、１０Ｍ、１０Ｙ、１０Ｋ）からの光照射を受けて静電潜像を形成し、この部分に帯電させたトナーを付着させて現像し、帯電トナー像を形成するユニットである。形成された帯電トナー像は、この後、対となる感光ドラムと転写ローラにより用紙２１が挟持された状態で、感光ドラム表面と転写ローラ表面との間に電位差を発生させて、感光ドラムから転写ローラへ向かう方向に引きつけられ、その結果挟持された用紙２１の表面に転写される。ここで、感光ドラム表面と転写ローラ表面との間の電位差は、転写ローラ側に高電圧を印加することにより発生させている。印加する高電圧は、駆動電力生成部１−２が生成する駆動電力をエンジン制御部２、高電圧６を介して供給される。
【００２８】
ＩＤモータ（１９Ｃａ、１９Ｍａ、１９Ｙａ、１９Ｋａ）は、感光ドラム（１９Ｃｂ、１９Ｍｂ、１９Ｙｂ、１９Ｋｂ）（図１）を回転駆動させるモータである。この駆動電力は駆動電力生成部１−２から、エンジン制御部２を介して供給される。
【００２９】
次に、上記、電源回路１とエンジン制御部２とからなる電源制御装置の回路構成について説明する。
図３は、実施例１の電源制御装置の機能ブロック図である。
図に示すように、電源回路１は、商用交流電力５０をパワーＯＮスイッチ１−６を介して整流ダイオードブリッジ１−７で受入れる。パワーＯＮスイッチ１−６と整流ダイオードブリッジ１−７の間には、過電流時に商用交流電力５０を切断するヒューズ１−８が挿入されている。
【００３０】
整流ダイオードブリッジ１−７の入力側から商用交流電力５０の一部が抽出され、その抽出された電力は２分岐され、その一方はＡＣゼロクロス検知部１−１へ供給され、他方は定着器電力制御部１−５へ供給される。
【００３１】
ＡＣゼロクロス検知部１−１は、商用交流電力５０の一部を受入れて監視し、商用交流電力５０を検出中は、ＡＣゼロクロス検出信号Ｓ１をエンジン制御部２へ送出し、商用交流電力５０を検出できなくなると、エンジン制御部２へのＡＣゼロクロス検出信号Ｓ１の送出を停止する。即ち、ＡＣゼロクロス検知部１−１によって停電などによる商用交流電力５０の突然の停止は検出される。ＡＣゼロクロス検出信号Ｓ１の生成機能については実際の回路図を用いて後に詳細に説明する。
【００３２】
定着器電力制御部１−５は、商用交流電力５０の一部を受入れて定着電力Ｐ３を定着器９へ供給する。ここで、定着電力Ｐ３の供給は、（温度）センサ８の出力を受入れるエンジン制御部２によってＯＮ・ＯＦＦ制御され、定着器９は、所定の定着温度に維持される。
【００３３】
商用交流電力５０をパワーＯＮスイッチ１−６を介して受入れた整流ダイオードブリッジ１−７は、整流ダイオード１−１１と平滑コンデンサ１−１２を用いて全波整流波を平滑化する。尚、トランス１−１０と、ＦＥＴ１−９と、スイッチング制御回路１−４とを用いて平滑コンデンサ１−１２の端子電圧が制御される。
【００３４】
平滑コンデンサ１−１２に充電された充電電荷は、２分岐され、一方は駆動電力生成部１−２へ供給され、他方は制御電力生成部１−３へ供給される。駆動電力生成部１−２は、平滑コンデンサ１−１２に充電された充電電荷を受入れて駆動電力を生成し、エンジン制御部２を介して上記図２を用いて説明した、各種モータ、除電ランプ、高圧電源６など、各構成部分へ供給する。
【００３５】
制御電力生成部１−３は、平滑コンデンサ１−１２に充電された充電電荷を受入れて制御電力を生成し、上記図２を用いて説明した、エンジン制御部２のＣＰＵ、Ｉ／Ｆ部４、コントローラ制御部３、ハードディスク５、センサ８、ＬＥＤヘッドなどへ制御電力として供給する。
【００３６】
ここで、ＡＣゼロクロス検知部１−１は、上記のように、商用交流電力５０を検出中は、ＡＣゼロクロス検出信号Ｓ１をエンジン制御部２へ送出するが、商用交流電力５０を検出できなくなると、ＡＣゼロクロス検出信号Ｓ１をエンジン制御部２へ送出するのを停止する。エンジン制御部２は、ＡＣゼロクロス検出信号Ｓ１の受入れを停止すると、所定の時間（例えば、商用交流電力５０の１．５周期分である３０ｍＳｅｃ）経過後に（一例として３０ｍＳｅｃ経過後）駆動電力停止信号Ｓ２を駆動電力生成部１−２へ送出し、更に、コントローラ制御部３へ電源断通知信号Ｓ３を送出する。
【００３７】
駆動電力生成部１−２は、エンジン制御部２から駆動電力停止信号Ｓ２を受入れると平滑コンデンサ１−１２との接続を遮断し、動作を停止する。その結果、平滑コンデンサ１−１２に充電されている充電電荷は、制御電力生成部１−３で優先的に使用されることになる。
【００３８】
次に、上記ＡＣゼロクロス検知部の回路構成について説明する。
図４は、ＡＣゼロクロス検知部の回路図である。
図に示すように、整流ダイオードブリッジ１−７（図３）の入力側から抽出された商用交流電力５０はＡＣゼロクロス検知部１−１の整流ダイオードブリッジ１−２１へ供給されている。
【００３９】
フォトカプラ３０６の入力側では、抵抗Ｒ３０３と抵抗３０４の直列接続抵抗枝が形成され、その両端部に整流ダイオードブリッジ１−２１で全波整流された脈流電圧が印加される。直列接続抵抗枝の接続点にトランジスタＴＲ３０７のベース端子が接続される。トランジスタＴＲ３０７のコレクタ端子は、フォトカプラ３０６の入力側端子、及び抵抗Ｒ３０５を介して、直列接続抵抗の高電位端に接続され、エミッタ端子は、低電位端に接続されている。従って、脈流電圧が０電位に近づくとトランジスタＴＲ３０７はＯＦＦ状態になり、それ以外ではＯＮ状態になっている。同様に、フォトカプラ３０６も、脈流電圧が０電位に近づくとＯＦＦ状態になり、それ以外ではＯＮ状態になっている。
【００４０】
一方フォトカプラ３０６の出力端子側では、抵抗Ｒ３０３と抵抗３０４の直列接続抵抗枝が形成され、その両端部に制御電力Ｐ２が印加される。直列接続抵抗枝の接続点にはトランジスタＴＲ３１３のベース端子が接続される。トランジスタＴＲ３１３のコレクタ端子には、抵抗Ｒ３１０を介して制御電力Ｐ２が印加される。又、制御電力Ｐ２は、フォトカプラ３０６の出力側端子、及び抵抗Ｒ３１１を介してトランジスタＴＲ３１３のベース端子に接続され、エミッタ端子は、直列抵抗の低電位端と共にアースされる。
【００４１】
従って、フォトカプラ３０６がＯＮ状態のときは、ＡＣゼロクロス検出信号Ｓ１はＬレベルになり、フォトカプラ３０６がＯＦＦ状態のときは、ＡＣゼロクロス検出信号Ｓ１はＨレベルになる。即ち、商用交流電力５０が０に近づくと（０クロスすると）ＡＣゼロクロス検出信号Ｓ１はＨレベルになる。
【００４２】
続いて、実施例１の動作についてタイムチャートを用いて説明する。
図５は、実施例１の動作を説明するタイムチャートである。
図の上から順番に、（１）商用交流電力５０（図３）の波形、（２）ＡＣゼロクロス検出信号Ｓ１（図３）の波形、（３）駆動電力Ｐ１（図３）の波形、（４）制御電力Ｐ２（図３）の波形、（５）駆動電力停止信号Ｓ２（図３）の波形、（６）電源断通知信号Ｓ３（図３）の波形、（７）ハードディスク５（図３）の処理波形、及び全ての項目に共通の時間経過を表す（８）時刻Ｔを表している。
【００４３】
図５と図３を用いて、電源回路１に供給されている商用交流電力５０が停電などによって遮断された場合の動作について時刻Ｔの順番に説明する。
時刻Ｔ１
商用交流電力５０の波形（１）が０電位に近づくと、ＡＣゼロクロス検知部１−１が検知してＡＣゼロクロス検出信号Ｓ１（２）をＨレベルにする。
【００４４】
時刻Ｔ２
商用交流電力５０の波形（１）が０電位から離れていくと、ＡＣゼロクロス検知部１−１が検知してＡＣゼロクロス検出信号Ｓ１（２）をＬレベルにする。
【００４５】
時刻Ｔ３〜時刻Ｔ６
ここで、商用交流電力５０の半周期（周波数が５０Ｈｚの場合、１０ｍＳｅｃ）毎に、上記、時刻Ｔ１〜時刻Ｔ２と同様の動作を繰返す。つまり、商用交流電力５０が正常に供給されている場合には、ＡＣゼロクロス検出信号Ｓ１（２）は、商用交流電力５０の１周期あたり２つのパルスが発生することになる。
【００４６】
時刻Ｔ７
商用交流電力５０が停電などによって遮断される。動作開始からここまでの間では、駆動電力Ｐ１（３）、制御電力Ｐ２（４）、駆動電力停止信号Ｓ２（５）、及び、電源断通知信号Ｓ３（６）は、それぞれＨレベルを維持している。又、ハードディスク５の処理（７）も通常通りである。
【００４７】
時刻Ｔ８
エンジン制御部２の交流電力停止検知部２−１は、商用交流電力遮断判断期間（ここでは、商用交流電力５０の１．５周期の３０ｍＳｅｃ）以上経過してもＡＣゼロクロス検出信号Ｓ１（２）を受入れないのでが停止したことを検知する。このときエンジン制御部２は、駆動電力停止信号Ｓ２（５）と電源断通知信号Ｓ３（６）とをそれぞれＬレベルに変化させる。時刻Ｔ７から時刻Ｔ８の間では、平滑コンデンサ１−１２の充電電荷量が低下するので駆動電力Ｐ１（３）は、所定の駆動電力消費量に従ってレベル低下を開始している。又、制御電力Ｐ２（４）は、平滑コンデンサ１−１２の充電電荷量が低下するが、その制御電力消費量は、僅かなので回路内部での帰還動作などによって、レベル低下は少量に抑制され、駆動電力停止信号Ｓ２（５）、及び、電源断通知信号Ｓ３（６）は、それぞれＨレベルを維持している。ここで駆動電力停止信号Ｓ２（５）がＬレベルに変化すると、駆動電力生成部１−２は、平滑コンデンサ１−１２との接続を遮断し、動作を停止する（駆動電力Ｐ１はＬレベルに変化する）。その結果、平滑コンデンサ１−１２に充電されている充電電荷は、制御電力生成部１−３で優先的使用されることになる。又、電源断通知信号Ｓ３（６）がＬに変化すると、コントローラ制御部３は、ハードディスク５の処理をシャットダウン処理に変更する。ここで、シャットダウン処理とは、例えばハードディスク（装置）５のバッファメモリ内に残っている書込み待ちのデータを、磁気ディスクに実際に書き込む処理である。この処理が行われずにハードディスク（装置）５に対する電源供給が停止すると、書込み待ちのデータは、消失してしまうからである。
【００４８】
時刻Ｔ９
所定の時間遅延した後、コントローラ制御部３は、シャットダウン処理を開始する。
【００４９】
時刻Ｔ１０
ハードディスク５のシャットダウン処理期間が終了する。制御電力Ｐ２が時刻Ｔ７から除々にレベル低下し、レベル低下が所定の電圧降下がΔＶになるが、この値ΔＶは、コントローラ制御部３の動作可能降下電圧Ｖｔ以内に収まっている。
【００５０】
以上説明したように、本実施例による電源制御装置１０００では、１個の平滑コンデンサ１−１２を駆動電力生成部１−２と、制御電力生成部１−３とで共用し、商用交流電力５０の遮断時に、モータ等に駆動電力を供給する駆動電力生成部１−２の出力系統を遮断する（駆動電力Ｐ＝０にする）ことによって、平滑コンデンサ１−１２に充電されている電荷を、制御電力を供給する制御電力生成部１−３に優先的使用させることが可能になる。その結果、制御電力生成部１−３の制御可能時間は長くなり、ハードディスクの保護処理時間を延長できるという効果を得る。
【実施例２】
【００５１】
上記実施例１では、交流電力停止検知部２−１（図２）が、商用交流電力５０（図２）が停止したと判断すると、駆動電力停止部２−２が、駆動電力停止信号Ｓ２を駆動電力生成部１−２（図２）へ送出し、モータ等に駆動電力を供給する駆動電力生成部１−２の出力系統を遮断する（駆動電力Ｐ＝０にする）ことによって、平滑コンデンサ１−１２に充電されている電荷を、制御電力を供給する制御電力生成部１−３に優先的使用させることを可能にした。本実施例では、更に、交流電力停止検知部２−１（図２）が、商用交流電力５０（図２）が停止したと判断すると、駆動電力生成部１−２の出力系統を遮断するのみならず、ハードディスクのシャットダウン処理に直接関係しないセンサ電力を制御電力生成部１−３の出力から遮断し、平滑コンデンサ１−１２に充電されている電荷の有効活用を図ってハードディスクのシャットダウン処理期間を延長することとする。以下に、実施例１と相違する部分のみについて説明する。実施例１と同様の部分については実施例１と同一の符号を付して説明を省略する。
【００５２】
図６は、実施例２の電源制御装置の機能ブロック図である。
図に示すように、本実施例によるセンサ８（例えば、用紙２１の検出センサ、定着器９の温度センサ、トナー量検出センサ等）は、センサ電力駆動部１−１３を介して制御電力が供給される。
【００５３】
センサ電力駆動部１−１３は、駆動電力停止部２−２から駆動電力停止信号Ｓ２を受入れると、センサ８への制御電力の供給を遮断する部分である。他の部分は全て実施例１と同様なので説明を省略し、以下に実施例２の動作についてタイムチャートを用いて説明する。
図７は、実施例２の動作を説明するタイムチャートである。
図の上から順番に、（１）商用交流電力５０（図６）の波形、（２）ＡＣゼロクロス検出信号Ｓ１（図６）の波形、（３）駆動電力Ｐ１（図６）の波形、（４）制御電力Ｐ２（図６）の波形、（５）センサ電力Ｐ４（図６）の波形、（６）駆動電力停止信号Ｓ２（図６）の波形、（７）電源断通知信号Ｓ３（図６）の波形、（８）ハードディスク５（図６）の処理波形、及び全ての項目に共通の時間経過を表す（９）時刻Ｔを表している。
【００５４】
図７と図６を用いて、電源回路１に供給されている商用交流電力５０が停電などによって遮断された場合の動作について時刻Ｔの順番に説明する。
時刻Ｔ１
商用交流電力５０の波形（１）が０電位に近づくと、ＡＣゼロクロス検知部１−１が検知してＡＣゼロクロス検出信号Ｓ１（２）をＨレベルにする。
【００５５】
時刻Ｔ２
商用交流電力５０の波形（１）が０電位から離れていくと、ＡＣゼロクロス検知部１−１が検知してＡＣゼロクロス検出信号Ｓ１（２）をＬレベルにする。
【００５６】
時刻Ｔ３〜時刻Ｔ６
ここで、商用交流電力５０の半周期（周波数が５０Ｈｚの場合、１０ｍＳｅｃ）毎に、上記、時刻Ｔ１〜時刻Ｔ２と同様の動作を繰返す。つまり、商用交流電力５０が正常に供給されている場合には、ＡＣゼロクロス検出信号Ｓ１（２）は、商用交流電力５０の１周期あたり２つのパルスが発生することになる。
【００５７】
時刻Ｔ７
商用交流電力５０が停電などによって遮断される。動作開始からここまでの間では、駆動電力Ｐ１（３）、制御電力Ｐ２（４）、センサ電力Ｐ４（５）、駆動電力停止信号Ｓ２（６）、及び、電源断通知信号Ｓ３（７）は、それぞれＨレベルを維持している。又、ハードディスク５の処理（８）も通常通りである。
【００５８】
時刻Ｔ８
エンジン制御部２の交流電力停止検知部２−１は、商用交流電力遮断判断期間（ここでは、商用交流電力５０の１．５周期の３０ｍＳｅｃ）以上経過してもＡＣゼロクロス検出信号Ｓ１（２）を受入れないので商用交流電力５０が停止したことを検知する。このときエンジン制御部２は、駆動電力停止信号Ｓ２（６）と電源断通知信号Ｓ３（７）とをそれぞれＬレベルに変化させる。更に、駆動電力停止信号Ｓ２（６）がＬレベルに変化することによってセンサ電力Ｐ４（５）がＬレベルに変化する。時刻Ｔ７から時刻Ｔ８の間では、平滑コンデンサ１−１２の充電電荷量が低下するので駆動電力Ｐ１（３）は、所定の駆動電力消費量に従ってレベル低下を開始している。又、制御電力Ｐ２（４）は、平滑コンデンサ１−１２の充電電荷量が低下するが、その制御電力消費量は、僅かなので回路内部での帰還動作などによって、レベル低下は少量に抑制され、センサ電力Ｐ４（５）、駆動電力停止信号Ｓ２（６）、及び、電源断通知信号Ｓ３（７）は、それぞれＨレベルを維持している。ここで駆動電力停止信号Ｓ２（６）がＬレベルに変化すると、駆動電力生成部１−２は、平滑コンデンサ１−１２との接続を遮断し、動作を停止する（駆動電力Ｐ１はＬレベルに変化する）。その結果、平滑コンデンサ１−１２に充電されている充電電荷は、制御電力生成部１−３で優先的使用されることになる。又、電源断通知信号Ｓ３（７）がＬに変化すると、コントローラ制御部３は、ハードディスク５の処理をシャットダウン処理に変更する。
【００５９】
時刻Ｔ９
所定の時間遅延した後、コントローラ制御部３は、シャットダウン処理を開始する。
【００６０】
時刻Ｔ１０
ハードディスク５のシャットダウン処理期間が終了する。制御電力Ｐ２が時刻Ｔ７から除々にレベル低下し、レベル低下が所定の電圧降下がΔｖになるが、この値Δｖは、コントローラ制御部３の動作可能降下電圧Ｖｔ以内に収まっている。尚、上記時刻Ｔ８でセンサ電力Ｐ４（５）もＬレベルに変化しているので、電圧降下Δｖは、実施例１に於ける電圧降下がΔＶよりも小さくなる。
【００６１】
以上説明したように、交流電力停止検知部２−１（図２）が、商用交流電力５０（図２）が停止したと判断すると、駆動電力生成部１−２の出力系統を遮断するのみならず、ハードディスクのシャットダウン処理に直接関係しないセンサ電力を制御電力生成部１−３の出力から遮断する。その結果、実施例１に比較して、より一層、平滑コンデンサ１−１２に充電されている電荷の有効活用を図ってハードディスクのシャットダウン処理期間を延長するこが可能になるという効果を得る。
【産業上の利用可能性】
【００６２】
以上の説明では、本発明をプリンタに適用した場合について説明したが、本発明は、この例に限定されるものではない。即ち、ファクシミリ装置や、複写機などにも適用可能である。
【図面の簡単な説明】
【００６３】
【図１】本発明による電子写真プリンタの構造を説明する側方断面図である。
【図２】実施例１の電子写真プリンタの制御系統構成図である。
【図３】実施例１の電源制御装置の機能ブロック図である。
【図４】ＡＣゼロクロス検知部の回路図である。
【図５】実施例１の動作を説明するタイムチャートである。
【図６】実施例２の電源制御装置の機能ブロック図である。
【図７】実施例２の動作を説明するタイムチャートである。
【符号の説明】
【００６４】
１    電源回路
１−１    ＡＣゼロクロス検知部
１−２    駆動電力生成部
１−３    制御電力生成部
１−４    スイッチング制御回路
１−５    定着器電力制御部
１−６    パワーＯＮスイッチ
１−７    整流ダイオードブリッジ
１−８    ヒューズ
１−９    ＦＥＴ
１−１０    トランス
１−１１    整流ダイオード
１−１２    平滑コンデンサ
２    エンジン制御部
２−１    交流電力停止検知部
２−２    駆動電力停止部
３    コントローラ制御部
４    Ｉ／Ｆ部
５    ハードディスク
６    高圧電源
８    センサ
９    定着器
（１０Ｃ、１０Ｍ、１０Ｙ、１０Ｋ）    ＬＥＤヘッド
（１１Ｃ、１１Ｍ、１１Ｙ、１１Ｋ）    除電ランプ
１２ａ    転写モータ
（１２Ｃｂ、１２Ｍｂ、１２Ｙｂ、１２Ｋｂ）    転写ローラ
１３ａ    ベルトモータ
１４ａ    搬送モータ
１５ａ    給紙モータ
１６ａ    排出モータ
１７    搬送ベルトユニット
（１９Ｃａ、１９Ｍａ、１９Ｙａ、１９Ｋａ）    ＩＤモータ
５０    商用交流電力
２０００    ホストコンピュータ
Ｓ１    ＡＣゼロクロス検出信号
Ｓ２    駆動電力停止信号
Ｓ３    電源断通知信号
【図１】
2007236166.tif 000003
【図２】
2007236166.tif 000004
【図３】
2007236166.tif 000005
【図４】
2007236166.tif 000006
【図５】
2007236166.tif 000007
【図６】
2007236166.tif 000008
【図７】
2007236166.tif 000009